(57)【要約】【課題】賭けのプールを操作し、ある競争結果に対して支払われる合計金額が使用可能な合計金額を超えないようにすることによって、設定賭け率及び／または可変賭け率による賭けを設定する方法を提供する。【解決手段】ある競争結果に対するある設定賭け率に関して、各設定賭け率による賭けに対して設定賭け率が割当てられ、賭けの記録（記録内に設定賭け率が含まれる）が作成される。各競争結果毎にi）賭けのプールを、配当を支払わなければならない結果の数に分割し、ii）手数料を斟酌して減額し、iii）その競争結果に対する設定賭け率による賭けに対して支払うために保留する金額を斟酌して減額し、iv）その競争結果に対して可変賭け率による賭け金を分割するように賭けのプールを操作することによって、０、１、またはそれ以上の考え得る競争結果に対する１または複数の可変賭け率が決定される。【選択図】図２Ａ
2010176713.tif 000002
【特許請求の範囲】
【請求項１】
賭けに関するデータを受け入れる入力手段を有し、
ある結果についての固定賭け率を記憶する固定賭け率記憶手段を有し、前記入力手段によってデータが受け入れられた固定賭け率の賭けは、記憶された固定賭け率に関連する潜在的な支払い負担を有し、
前記固定賭け率記憶手段に格納されている、前記結果についての前記固定賭け率を更新する固定賭け率更新手段を有している、
変わり得る賭け率で賭けをする可変賭け率の賭けと、設定された賭け率で賭けをする固定賭け率の賭けとを行うための賭け装置であって、
少なくとも一つの可変賭け率の賭けに関連するデータを受けて作動し、データが入力手段により受信されている前記結果についての賭けに関連するデータの受信又はデータ処理の後に賭け装置内で生じる所定の状態に応答して指令を発生する応答手段を更に備えており、
前記賭けは前記の少なくとも一つの可変賭け率の賭けの後でなされ、そして前記の所定の状態は、データが入力手段により受信され、かつ、記憶された固定賭け率に関連する潜在的な支払い負担を有する前記結果についての固定賭け率の賭けについての全ての潜在的な支払い負担が、前記の結果に対する最大正味積み立て賭金を超える前に生じ、前記指令により賭け装置内でオペレーションが行われて賭け装置は前記結果に対して全ての支払い負担が前記の最大正味積み立て賭金を超えないように作動することを特徴とする、賭け装置。
【請求項２】
前記指令によって実行されるオペレーションには、可変賭け率の賭けに適用できるレベルで手数料のために減額され、また、該当する場合は、賭けが支払われる他の結果への配分を見越して減額され、該当する場合は、その結果についての固定賭け率についての合計の潜在的な支払い負担を見越して減額され、そして、その結果についてのすべての可変賭け率の賭け金額の合計によって分割されて、一つのイベントについてのすべての賭け金額よりも前記固定賭け率が少なくなるように、前記結果についての前記固定賭け率を更新することを含む、請求項１に記載の装置。
【請求項３】
前記指令により生じる前記のオペレーションが、
2010176713.tif 000025
に従って前記の結果に対する前記の固定賭け率を更新することを含み、SD(Y)は結果Yに対する前記の固定賭け率であり、SCRは０から１の範囲で変わる変数であり、TBVはすべての可変賭け率の賭け金の総量であり、TBSはすべての固定賭け率の賭け金の総量であり、ＮＲは支払いがなされる結果の数であり、PC(Y)は結果Yについての固定賭け率の賭けの全ての支払い負担であり、BV(Y)は結果Yについてのすべての可変賭け率の賭金の総額である請求項１に記載の賭け装置。
【請求項４】
前記の指令は、前記のオペレーションで賭け装置を作動させて固定賭け率の賭けの賭金が前記の結果についての可変賭け率の全賭金のある部分を超えないようにする請求項１乃至３のうちいずれか一項に記載の賭け装置。
【請求項５】
結果に対する可変賭け率の賭けと固定賭け率の賭けの全ての支払い負担が前記の最大正味積み立て賭金を超えないように前記の結果に対する可変賭け率での支払い負担を計算する手段をさらに含んでいる請求項１乃至４のうちいずれか一項に記載の賭け装置。
【請求項６】
賭け装置内で発生するイベントの前に結果に対する可変賭け率の賭けをした客への払い戻し率がそのイベントの後でなされる前記の結果に対する可変賭け率の賭けよりも高くなるように前記の結果について可変賭け率を計算する手段をさらに含む請求項１乃至５のいずれか一項に記載の賭け装置。
【請求項７】
変わり得る賭け率で賭けをする可変賭け率の賭けと設定された賭け率で賭けをする固定賭け率の賭けとを行わせる方法であって、
少なくとも一つの可変賭け率の賭けに関するデータを含んでいる賭けについてのデータを受け取る段階、
結果に対する固定賭け率を記憶する段階であって、データが受け取られた固定賭け率の賭けについて、その賭けは記憶された固定賭け率に関連した潜在的な支払い負担を有している、
前記結果に対して記憶されている固定賭け率を更新する段階を備える方法において、
データが受け取られた前記結果についての賭けに関連するデータの受信又は処理の後で生じる所定の条件に応答して指令を発生し、前記の賭けは前記の少なくとも一つの可変賭け率の賭けの後でなされ、そして前記の条件は、データが受信されかつ記憶された固定賭け率に関連する潜在的な支払い負担を有する前記結果における固定賭け率の賭けの全ての潜在的な支払い負担が前記結果に対する最大正味積み立て賭金を超える前に生じ、前記の指令によりオペレーションを実行させて前記の結果における潜在的な全支払い負担が前記の結果に対する最大正味積み立て賭金を超えることのないようにすることを特徴とする方法。
【請求項８】
可変賭け率の賭けに適用できるレベルで手数料のために減額され、また、該当する場合は、賭けが支払われる他の結果への配分を見越して減額され、該当する場合は、その結果についての固定賭け率についての合計の潜在的な支払い負担を見越して減額され、そして、その結果についてのすべての可変賭け率の賭け金額の合計によって分割されて、一つのイベントについてのすべての賭け金額よりも前記固定賭け率が少なくなるように、前記結果についての前記固定賭け率を更新することを含む、請求項７に記載の方法。
【請求項９】
前記の結果に対する前記の固定賭け率を
2010176713.tif 000026
に従って更新することを含み、SD(Y)は結果Yに対する前記の固定賭け率であり、SCRは０から１の範囲で変わる変数であり、TBVはすべての可変賭け率の賭け金の総量であり、TBSはすべての固定賭け率の賭け金の総量であり、ＮＲは支払いがなされる結果の数であり、PC(Y)は結果Yについての固定賭け率の賭けの全ての支払い負担であり、BV(Y)は結果Yについての可変賭け率の賭金の総額である請求項７に記載の方法。
【請求項１０】
固定賭け率の賭けの賭金が前記の結果の可変賭け率の賭金の総額の一部分を超えないようにする請求項７乃至９のうちいずれか一項に記載の方法。
【請求項１１】
結果についての可変賭け率の賭けの潜在的な全支払い負担と固定賭け率の賭けの潜在的な全支払い負担とが前記の最大正味積み立て賭金を超えないように、結果についての可変賭け率における潜在的な支払いを計算するステップを含む、請求項７乃至１０のいずれか一項に記載の方法。
【請求項１２】
イベントの前に結果に対する可変賭け率の賭けをした客への払い戻し率がそのイベントの後でなされる前記の結果に対する可変賭け率の賭けよりも高くなるように、前記の結果についての可変賭け率を計算する段階を含む請求項７乃至１１のいずれか一項に記載の方法。
【請求項１３】
可変賭け率の賭け及び／又は固定賭け率の賭けをする方法において、
データ処理装置に賭けに関するデータを入力する段階、
可変賭け率の賭けと固定賭け率の賭けとを行う方法により処理する賭けに関するデータを送出する段階、
少なくとも一つの可変賭け率の賭けに関連するデータを含む、賭けに関連するデータを受信する段階、
結果についての固定賭け率を記憶する段階であって、固定賭け率の賭けのデータが受信された賭けについて、その賭けが記憶されている固定賭け率に関連する潜在的な支払い負担を有しており、
前記結果に対する前記記憶された固定賭け率を更新する段階、そして
データが受信されている前記結果についての賭けに関連するデータの受信又は処理の後で生じる所定の条件に応答して指令を発生する段階
を備え、前記の賭けは前記の少なくとも一つの可変賭け率の賭けの後でなされ、そして、データが受信され、記憶されている固定賭け率に関連する潜在的な支払い負担を有する前記結果についての前記賭け率の賭けについて潜在的な全支払い負担が前記の結果に対する最大正味の積み立て賭金を超える前に前記の条件は生じ、前記の指令によりオペレーションが遂行されて、前記の結果における潜在的な全支払い負担が前記の結果に対する最大正味の積み立て賭金を超えないようにすることを特徴とする方法。
【請求項１４】
新たな賭けに関連するデータが第一の国又は政府から通信され、新たな賭けに関連するデータが、第一の国又は政府とは異なる第二の国又は政府において処理されることを特徴とする請求項１３に記載の方法。
【請求項１５】
可変賭け率の賭け及び／又は固定賭け率の賭けをさせるデータ処理装置であって、
賭けに関するデータを受信し、そして可変賭け率の賭けと固定賭け率の賭けとを行う装置が処理する賭けに関するデータを送出するデータ処理装置において、
少なくとも前記データ処理装置から、賭けに関するデータを受信する入力手段、
結果についての固定賭け率を記憶する固定賭け率記憶手段であって、入力手段によって固定賭け率の賭けのデータが受信された賭けについて、当該賭けは記憶された固定賭け率に関連する潜在的な支払い負担を有し、
前記固定賭け率記憶手段に記憶された、前記結果に対する前記固定賭け率を更新する固定賭け率更新手段、そして
少なくとも一つの可変賭け率の賭けに関連するデータの受信に続いて作動して、入力手段によってデータが受信されている前記結果についての賭けに関連するデータを受信又は処理した後で装置内に生じる所定の条件に応答して指令を発生する手段を備え、
前記賭けは前記の少なくとも一つの可変賭け率の賭けの後でなされ、そして、入力手段によりデータが受信され、記憶されている固定賭け率に関連する潜在的な支払い負担を有する前記結果についての固定賭け率の賭けについて潜在的な全支払い負担が前記の結果に対する最大正味の積み立て賭金を超える前に前記の条件は生じ、前記の指令によりオペレーションは遂行されて、前記の結果における全支払い負担が前記の結果に対する最大正味の積み立て賭金を超えないようにすることを特徴とするデータ処理装置。
【請求項１６】
前記データ処理装置は第一の国又は政府にあり、賭け装置は前記第一の国又は政府とは異なる第二の国又は政府にあることを特徴とする請求項１５に記載のデータ処理装置。
【請求項１７】
可変賭け率の賭けを与える賭け装置からのコマンドに応答して生成される結果についての新たな固定賭け率の賭けのレコード又は新たな可変賭け率のレコードであって、
前記新たな賭けに関連するデータがデータ処理装置において受信され、賭け装置の入力手段へ通信され、
前記新たな賭けが固定賭け率の賭けの場合は、その固定賭け率の賭けは、賭け装置の固定賭け率記憶手段によって記録された前記結果に対する固定賭け率に関連する潜在的な支払い負担を有し、
固定賭け率記憶手段に記憶されている前記結果に対する固定賭け率は賭け装置の固定賭け率更新手段によって更新され、
賭け装置の応答手段は、少なくとも一つの可変賭け率の賭けに関連するデータの受信に続いて動作して、入力手段によってデータが受信されている前記結果についての賭けに関連するデータの受信又は処理の後で賭け装置内に生じる所定の条件に応答する指令を生成し、前記賭けは、前記少なくとも一つの可変賭け率の賭けの後になされ、前記条件は、入力手段によってデータが受信されており、記憶された固定賭け率に関連する潜在的な支払い負担を有する前記結果についての固定賭け率の賭けについての潜在的な全支払い負担が、前記結果に対する最大正味積み立て賭金を超える前に生じ、前記指令によりオペレーションを実行させて前記結果における潜在的な全支払い負担が前記の結果に対する最大正味積み立て賭金を超えることのないようにすることを特徴とする、新たな固定賭け率の賭けのレコード又は新たな可変賭け率のレコード。
【発明の詳細な説明】
【技術分野】
【０００１】
本発明は、賭け率計算器（トータリゼータ）によって若干のイベントに対する設定賭け率及び可変賭け率を生成する方法及び装置に関し、より詳しく述べればコンピュータ化した賭け率計算器システムに関する。
【背景技術】
【０００２】
賭け率計算器は、多年にわたって多くの国で使用されてきた。勝者に賭ける賭けを受入れる場合、それらは一般に、競争または試合のようなイベントの各競争者（例えば、馬、犬、フットボールチーム）に対する賭け金(amount bet)をまとめ、賭け金の総額をまとめ、手数料（通常は、一定の割合の税金を含む固定されたパーセンテージでの割合）を差引き、そして方程式
【数１】
2010176713.tif 000003
または、
【数２】
2010176713.tif 000004
の一方により、総賭け金に従って各競争者についての賭け率(price)を計算する。但し、上式に使用されている変数は、後掲する付録に定義されている意味を有している（ここで使用する「賭け率」には、「オッズ」及び「配当金」の両方の意味が含まれているものとする）。
【０００３】
従ってこれらは、元手から手数料のパーセンテージを差し引いて勝者に賭けた人達に分配するので、「配当金(parimutuel)」（または「相互賭け」）賭け率計算器と呼ばれ、マーケットを設定する外部取次者は介在しない。
【０００４】
例えば、1.29 を1.2 にするように、計算された賭け率を小数点以下１桁で切捨てて「端数」を除去するために、払戻しが高くなることが多い。
【０００５】
これらの原理は、連勝式（１着及び２着の競争者を当てる）、３連勝単式（１着、２着、及び３着の競争者をその順番で当てる）、４勝式（ある競争者がその日の定められたイベントに４勝する）等のような着順への賭け及び結果の組合わせについて計算された賭け率に拡大することができる（そして、通常は拡大される）。これらの賭け率は殆ど同じようにして計算されるが、所与の競争者が１着になることを予想した賭け金の代わりに、関連数字はある競争結果(outcome)に対する賭け金である。
【０００６】
しかし、現在の賭け率計算器が、賭けの最中にその賭け率を屡々変更するだけではなく、全ての賭けがなされた後に限られるが、計算された賭け率を賭けた人に提示できるように動作するのは必然的な成り行きである。この賭け率は、賭けの早い段階で表示されたものとは全く異なるから、賭けた人の方では欲求不満が高まることになる。
【０００７】
しかしながら、現在の可変賭け率システムの主たる長所の１つは、たとえイベントの結果がどのようであっても、賭け率計算器の経営者は、指定された率の手数料を得ることを実質的に保証されていることである。別の長所は、システムの収益を保証するために、賭けの規模を制限する必要がないことである。
【０００８】
一方、ブックメーカは、彼等が枠決めしたマーケットまたは彼等の利益に従って、通常はある限度までの設定賭け率(set prices)を設定し、需要と供給に伴う賭け率の変動があっても、賭けの任意の段階である賭けた人に与えられた賭け率を固定のままにする。
【０００９】
設定賭け率を設定するブックメーカ方法の主な欠陥の１つは、通常は収益率が手数料率より低いことである。これよりも高くすれば、ブックメーカは損をする可能性があり、実際に損をするという問題が発生する。
【００１０】
ここに使用する「手数料率」とは、勝ちに賭けた人に対して全プールを払戻すレベル以下に賭け率（従って、分配に使用できる金額）が低下する程度を意味する。手数料を斟酌する、従って手数料率を決定するために使用できる方法は数多く知られている。賭けシステムの経営者への収益率は手数料率に等しい筈であって賭け率が低下する程彼の収益が大きくなると思われがちであるが、これは必ずしもそのようになるとは限らない。その理由は、収益率が他の要因（例えば、マーケット及びシステムの機構の精度）によって影響され得るからである。それ故手数料率は理論的な率であり、特定の機構を使用しない限り収益率は低率であることが多くなる。
【００１１】
「設定賭け率」は、本質的には他の一般的に使用されている語、例えば「固定賭け率」、「固定オッズ」、「保証オッズ」または「設定オッズ」と同じ意味である。好ましい用語として「設定賭け率」を使用しているのである。
【００１２】
以下に使用する「パラメタ」とは、プリセットすることができる、及び／または周期的に変化させることができる可変量の意味を含み、また「変数」とは、全プールに関する情報を記憶し、動作中に屡々変化し得る量の意味を含むものとする。
【００１３】
従来から設定賭け率を生成することができる賭け率計算器を考案する試みはなされてきた。これらの殆どは係員が同数のブックメーカと同じ原理に基づいており、収益率が少なく、損失の危険性を有している。
【００１４】
損失の危険性を解消する試みに異なる方式を採用した一方法は、ATL Pty Ltd.（以下に「ＡＴＬ」という）によるオーストラリア特許第590777号(AU-B-60112/86)“A Fixed Odds Betting System”である。この発明の狙いは、可変プール内のファンドを使用することによって、任意の固定賭け率による賭けにより発生する不利益を保証し、またそのプロセスの一部として、一人の競争者による固定賭け率の合計不利益が合計賭け金を超えないことを保証することである。この発明は、この特定の目標は達成している。
【００１５】
しかしながら、この発明は「手数料率を完全に保証」できるシステムを提供するように請求してもいないし、そのようなシステムを提供することに成功してもいない。更に、この発明は他に多くの重大な欠陥を有している。
【００１６】
固定賭け率の不利益の問題を斟酌するだけでは、単にブックメーカ型システムの設定賭け率を設定すること（多くのシステムが行うことができる）以上にシステムを活動させるようにするには不十分である。ＡＴＬの機構はシステムの他の面、即ち、ａ）システムが危険要素を含んでいるか否か、即ちシステムがギャンブリング機構であるか否か、ｂ）収益率、ｃ）任意の競争結果に対して１）その競争結果に対する設定賭け率による賭け、２）その競争結果に対する可変賭け率による賭け、３）他の競争結果に対する設定賭け率による賭け、４）他の競争結果に対する可変賭け率による賭け、に応答する賭け率の応答のあり方、ｄ）システムが（部分的に上記ｃ）に起因して）生成する賭け率の過度の、そして異常な低下に対して、賭けた人からの不満を反映する応答としての票の移動（ターンオーバー）の効果、を暗示しており、そしてこれらの効果に特に注意を払わない限り、システムはどのような実用的な意味でも機能しなくなる。ＡＴＬは、これらの面に対処するどのような効果的な機構をも示しておらず、そのようにする必要性をも示していない。
【００１７】
例えば、どの「法定法人」も、このようなシステムの必須条件として、「移譲されたファンド」から控除したＴ＆Ｃ（税金及び手数料）に少なくとも等しい量が得られるように保証されるべきことを考えるであろう。ＡＴＬの発明のステートメントはこれを規定していないし、与えられた例（方程式）の応用だけしか示していない。また最良の方法として、もしＴ＆Ｃを十分なレベルに維持することができれば、それがギャンブリング機構になることを示している。ＡＴＬは、ギャンブリング機構の問題に関しては、固定賭け率の不利益について言及しているに過ぎない。更に、実際のＴ＆Ｃが指定された率よりも低くなり得るだけではなく、種々な環境においては損失をこうむる恐れもある。またＡＴＬの発明は、賭け率の過度の、そして異常な低下、及び／または賭け率の過大な変動に対する賭けた人の不満を原因とする賭けの移動の減少のような他の問題をももたらす。
【００１８】
もし設定賭け率及び／または可変賭け率が、ある与えられた競争結果（従って、その競争結果に対する要望）に対する賭け金を反映していなければ問題が発生し得るし、そしてもしそのようになっていなければ、賭ける人は賭け率が相対的に低過ぎる競争結果に対して賭けることは殆どなく、また賭け率が相対的に高過ぎる競争結果に対しては過度に賭けるようになろう。もしこのようなことになれば、一群の賭けた人が他の群に比して不利益をこうむり、システムは全ての賭ける人から信頼を失うことになる。ＡＴＬにおいてはこの型の効果の例は数多くあり、これに関しては以下のｂ）に要約してある。
【００１９】
異常な賭け率には以下に示す３つの原因がある：
ａ）賭け金に比して、配当を支払わなければならない競争結果の数に対する種々の約束事（設定配当、可変配当、及び手数料）についての「正しくない」配慮。
【００２０】
その結果これらの約束事が支払いに使用できる金額を超えることになる。ＡＴＬの発明におけるこの問題は上述した通りであり、これはＡＴＬが固定賭け率の不利益のみを処理するようになっているから発生するのである（ＡＴＬは固定賭け率の不利益が総賭け金を超えることがないようにすることには成功しているが、他の約束事を斟酌すると総賭け金を超えるのが一般的であり、若干の場合には超える程度が極めて大きくなるだけではなく、損失が発生する点に到達する）。
【００２１】
ｂ）賭け金に対する分配に使用できる金額の「専断的な」割当て。例えば、ある賭け率の設定が高すぎるかまたは高く保ったため（または、ある限度が高過ぎるため）に、または個々の賭け率がそれに賭けられた賭け金に比して高過ぎるかまたは低過ぎるために、可変賭け率による賭けに比して設定賭け率による賭けへの割当てが多過ぎる（または、その逆）。
【００２２】
このカテゴリにおいては賭け制限があり、この制限の主目的は配分に使用できる金額のある一部分だけを任意の賭けに割当てることができるようにすることであるが、もしその一部分が上記金額のある割合であれば、賭け制限は、賭けに対して支払わなければならない配当率を斟酌することによってその割合から決定される。
【００２３】
ＡＴＬはこのようにはなってなく、その代わりにその賭け率には関係なく各競争結果毎に同じ賭け制限を設けているために、高い賭け率に対する効果は遙かに大きくなる。ＡＴＬの方法では、これは高い設定賭け率に対しては殆ど賭けが行われないことを、従って異常な賭け金の賭け率が発生することを意味している。
【００２４】
ｃ）例えば、悪意のない、またはシステムの不正操作によるの何れかで、賭けが取り消されたことによって、他の賭けた人、賭け率計算器の経営者、及びシステムの完全さに損害を与えるような「不適切な」金額の割当て。
【００２５】
ＡＴＬの発明は、これらの全ての欠陥を呈する。
賭け率の不正操作の問題に十分に対処するように特に配慮しない限り、システムの完全さが脅かされる。ＡＴＬはこの問題に対処する試みを行ったが、賭けた人の権利を制限しただけで、この問題を解決はしなかった。
【００２６】
ＡＴＬは、「取消しできない」予測される配当（可変）の賭けに対して動作するシステムに関するその特許を示さなかった。ＡＬＴの明細書を検討した結果、同じ端末（そこで賭けが行われた）において別の人が賭けを行った後に取り消すことができない賭けとは何であるかが明白である。
【００２７】
しかしながら、必要以上に制限を設けてはいるが、これはシステムの悪用を防ぐには全く不十分である。
【００２８】
その理由は、どの人も、個々に、または共謀者と共同するの何れかで、他の結果の賭け率を大きく高め、これらの競争結果に暴騰させた賭け率で設定賭け率による賭けを行い、次いで始めの賭けを移動させることによって、大きい賭けを行う（可変賭け率の場合には賭け制限をなくす）ことができるからである。
【００２９】
ＡＴＬは厳しい制限を設け、その端末で次の賭けが行われる前に表明された取消しだけを可能にするようになっていることを除いて、設定賭け率による賭けに対して同じような規則を設けている。しかしながら、共謀者が同時に賭けを行って遅延策略を使用すれば、上述したものと全く同じ問題が発生し得る。
【００３０】
悪辣な人は直ぐにこれらの弱みを見つけて利用するであろうから、その最終的な結果として、賭け率は各競争結果に対する適切な賭け金を全く反映しなくなり、システムは急速に評判を落とすか、及び／または破産するようになる。
この問題を解消するためには、ＡＴＬが提唱した方法で単に賭けを取り消すのを制限する以上の、より良い方法が必要である。
【００３１】
密に関連した問題は、受け入れた賭けに関して、賭けた人に「大きい不満」を持たせないようにする必要があることである。
【００３２】
設定賭け率によって賭けた人々は、彼等が納得する賭け率を得ることができ、その後にそのマーケットにどのようなことが起こっても賭け率は変化しないことを知っているので不満を持つことはない。
【００３３】
短時間の間に多くの取引を処理しなければならないシステムに伴う一つの問題は、賭ける人が要求した時点に表示されていた賭け率が、直前に（即ち、１秒もたっていないのに）見た時に、賭けることができると思った賭け率とは全く異なっているかも知れないことである。これは、その賭ける人が表示装置上の賭け率を見た時と彼が処理した時との間の当該イベントに別の賭けがなされた（そして多分なされるであろう）からである。もしこれらの賭けが、小さい及び／または一般的なマーケットを表していれば、賭け率は顕著に変化しないであろうが、もしそうでなければ賭け率は大きく変化することになろう。更に、賭ける人の賭けを登録するのに間違いも起こり得る。これらの理由から、賭けを修正し、賭け率を受入れ可能にするような手段を設けない限り、不満足がもたらされ、設定賭け率を設定した目的が無効になってしまう。
【００３４】
ＡＴＬは、賭け率を受入れ可能にするような必要性について言及していない。
【００３５】
しかしながら、ＡＴＬのシステムは、間違いを解消するために取消しができるようになっているので、受入れた賭け率に不満足な人からかなりの数の取消しが行われよう。また賭けた人は彼等が期待した賭け率よりも低い賭け率のみに不満を抱く傾向にあるから、賭け率が低下した時に取消しが行われる傾向がある。しかしながら、１つの賭け率の低下は他の賭け率を上昇させることになり、その後になって前者に対する賭けを取消すことは、他の競争結果に対して与えられた賭け率が甘過ぎたことを意味している。
【００３６】
設定賭け率によって賭ける人に対して過度に甘い賭け率を繰り返し設定すると、可変賭け率で賭けた人に対する払戻しが大幅に少なくなる。可変賭け率で賭ける人からの必然的な不快反応が可変プールのサイズに衝撃を与え、ひいては設定賭け率を設定する能力にも影響することになる。
【００３７】
関連する問題は、取消しの率が大きく増加することによって、表示された賭け率が著しく気まぐれなものになることである。これもまたシステムの愛顧にマイナス効果を与える。
【００３８】
更に、ＡＴＬの発明は、特にオフコース可変プールを使用することによって、オンコース設定賭け率を設定するシステムだけを示している。ＡＴＬは、可変プールをオンコースで生成させることができるとしているが、示唆されているような満足できるサイズのプールを容易に得ることができるということを疑うに足る十分な理由がある。結局ＡＴＬの発明は、全ての賭ける人、特にオフコースで賭ける人が満足できる設定賭け率をどのようにして設定するかは示していない。
【００３９】
主たる問題は、「本質的に固定賭け率による賭けは、食欲な賭ける人にとってより魅力的である」とＡＴＬ自体が言及したあるものの意義である。
【００４０】
この難問の最終的な結果として、制約（例えば、設定賭け率だけをオンコースで設定し、可変プールをオフコースで得る）、または優遇措置（例えば、より高い賭け率）を使用しない限り、可変賭け率で賭ける人は設定賭け率システムへ群がって、設定賭け率で賭ける人のための可変プールは大幅に減って誰も賭けなくなってしまう。以下の証拠、即ち、１）賭ける人が、利用できる賭け率を判断しようと試みる最後の１分（またはそれ以下）の間に、可変プールのサイズを２倍にするような複数の支配権(juri sdiction)に対する賭ける人の挙動、２）賭け率計算器上の可変賭け率に対抗して、オフコースで設定賭け率が（ブックメーカによって）設定され、設定賭け率に 99 ％以上の賭けの移動が発生すると思われるような１つの支配権、３）賭け率計算器で賭ける人の約 80 ％が設定賭け率を好むという調査結果から判断すれば、可変プールのサイズは、この発明の動作をかなり制限するような点まで縮小されてしまう。
【００４１】
更に、プールが小さく（設定賭け率が利用可能であるから）、従ってより変化し易いので、可変プールに対して賭けられたどのような金額も、現在最後の１分に最も賭けられるらしいものよりも大きい割合を占める。最後の１分における賭け金は、設定賭け率で賭ける人が早めに賭けることができる安定したベースを作るには役に立たず、これは問題を倍加させるだけである。
【００４２】
これら２つの効果の組合わせによって、この発明の実際の動作は多分極めて大幅に制約されることになる。
【００４３】
これらの問題はいろいろな方法によって解消することができる。これらの方法には、ａ）１）可変プールに、２）賭けの早期の段階において、賭ける人が魅かれる異なる賭け率及び／またはボーナス配当のような優遇措置を設定すること、ｂ）理論的なプールを使用すること、が含まれる。
【００４４】
しかしながら、ＡＴＬはこれらの可能性については言及していない。更に、特に好感をもたれる（賭け率が低下した）競争結果に対してＡＴＬの発明は、他の問題が目立つような若干の場合を除いて、設定賭け率による賭けに応答して可変賭け率の方が（設定賭け率よりも）遙かに早い速度で低下するので、ある優遇措置を与えるように可変賭け率を維持するのが極めて困難になることが分かる。
【００４５】
ＡＴＬは、配当を支払わなければならない結果（例えば着順配当金：通常は配当金は１着、２着及び３着の各「着順」結果に対して支払わなければならない）
の数には何等言及していないが、分配に使用できる金額は、配当を支払わなければならない結果の数で分割しなければならない。
【発明の概要】
【発明が解決しようとする課題】
【００４６】
本発明の目的は、上述した問題の少なくとも１つを解消乃至は最低にするか、または少なくとも大衆に合理的な選択権を与えるようにした、設定賭け率及び／または可変賭け率による賭けを設定する方法を提供することである。
【課題を解決するための手段】
【００４７】
本発明の一面によれば、賭けのプールを操作し、ある競争結果に対して支払われる合計金額が使用可能な合計金額を超えないようにすることによって、設定賭け率及び／または可変賭け率による賭けを設定する方法が開示され、本方法は、ａ）全てのパラメタ及び変数を初期化する段階と、ｂ）１）０、１、またはそれ以上の考え得る競争結果に対する１または複数の設定賭け率を決定し、２）各設定賭け率の表示を生成し、３）ある競争結果に対するある設定賭け率について、i）その賭けに対して設定賭け率を割当て、ii）賭けの少なくとも１つの記録を作成し、その／それらの記録内に設定賭け率を含ませ、ｃ）１）各競争結果のための諸段階に従って賭けのプールを操作することによって、０、１、またはそれ以上の考え得る競争結果に対する１または複数の可変賭け率を決定し、この決定が、i）その賭けのプールを、配当を支払わなければならない結果の数に分割し、ii）手数料を斟酌して減額し、iii）その競争結果に対する設定賭け率による賭けに対して支払うために保留する金額を斟酌して減額し、iv）その競争結果に対して可変賭け率による賭け金を分割し、v）そのように決定された各可変賭け率の表示を生成することを含み、２）ある競争結果に対する可変賭け率による賭けに関して、その賭けの少なくとも１つの記録を生成する段階と、ｄ）１）設定賭け率による賭けに対して支払うために保留する金額が、i）配当を支払わなければならない結果の数に分割し、ii）手数料を斟酌して減額し、iii）その競争結果に対する先行設定賭け率による賭けに対して支払うために保留する金額を斟酌して減額した後のその賭けのプールを超えないようにし、２）ある競争結果に対する可変賭け率による賭けに対して支払われる合計金額が、i）配当を支払わなければならない結果の数に分割し、ii）手数料を見込んで減額し、iii）その競争結果に対する設定賭け率による賭けに対して支払うために保留する金額を斟酌して減額した後のその賭けのプールを超えないようにし、３）各賭けについて少なくとも段階ｂ）及びｃ）を繰り返すことによって設定賭け率及び／または可変賭け率による賭けを設定する段階からなる。
【００４８】
本発明は、賭け率計算器の設定賭け率部分と、賭け率計算器の可変賭け率部分の両方に共通する賭けのプールを使用することによって、賭け率計算器システム上で設定賭け率を設定する。手数料率が低下する危険を実質的に排除し、且つ損失の危険性を実質的に排除して、これらの賭け率を設定できることが本発明の特色である。もし、マーケット内の何等かの欠陥に起因して収益が減少することがあれば、本発明は賭け率計算器の経営者以外の利害関係者によってそれを分担する能力を有している。
【００４９】
本発明の設定賭け率計算器は、少なくともある形状の可変賭け率計算器に依存しているので（たとえ、それが理論的プールを有していても）、使用する「設定賭け率計算器」という用語は、設定賭け率を設定することができるが、それでも可変賭け率計算器をも組み込んでいる賭け率計算器システムを意味する。可変賭け率計算器という用語は、設定賭け率計算器と統合されていようと、いまいと、可変賭け率を設定できる賭け率計算器システムを意味する。
【００５０】
以下に、本発明の種々の形状を説明するが、これらは例示に過ぎない。
【００５１】
一つの好ましい形状においては、プールは可変賭け率で賭けを受入れることによって確立される。
【００５２】
別の好ましい形状においては、プールは可変賭け率で賭けを受入れることによって確立され、初期設定賭け率はこれらの賭け金によって、及びこれらの賭け金から決定される。この形状の設定賭け率計算器は、たとえ（賭けが進むにつれて）与えられた競争結果に関して全ての賭けた人が正確に同一の賭け率は受けられないとしても、それでもシステムは手数料のためのある金額を差し引いた合計金額を勝った関係者に配分する配当金賭け率計算器である。賭け率は賭けの金額によってのみ決定され、外部取次者は介在しない。この形状では、実質的に損失の危険性はなく、また手数料率の低下の危険性も実質的に存在しない。
【００５３】
別の好ましい形状においては、プールは可変賭け率による「理論的賭け」を（完全に、または部分的に）使用して確立され、これは、可変プール内の金額が少ないか、または全く存在していなくても、設定賭け率を設定することができる。
【００５４】
これは賭け率計算器経営者によって達成され、経営者は、ある金額（最終的なプールのサイズに比して相対的に少ないことが好ましい）を供給し、次いで彼等が考案したか、または彼等の利益を反映するマーケットを設定するように、この金額の部分を各競争結果に投資(place)するように割当てる。金額を（完全に理論的なプールのための値に基づいて）割り当てる一つの好ましい方法は、以下の式に従っている。
【数３】
2010176713.tif 000005
【００５５】
これらの変数は前と同一の意味を有しているが、手数料率は変化させることができ、通常の可変賭け率システムのためのものと同一レベルではないことがあり得る。（賭け率計算器の経営者は、このような理論的賭けを可変賭け率計算器にだけではなく、本発明の種々の形状の設定賭け率計算器にも使用することができ、理論的賭けを通常の賭けと区別する必要がない場合には、それらは「投資」されたと呼ばれる。）これらの金額は、必ずしも実際に投資される必要はなく、単に金額があたかも投資されたかの如く計算を行うことができる。
【００５６】
本発明のこの形状では、損失の機会を小さくすることができるが、必ずしも完全に排除するとは限らない。また、マーケットの欠陥に起因して、手数料率が指示するよりも収益率が低くなるらしく思われる。
【００５７】
しかし危険な状態の金額は、最終プールのサイズの極く一部分にしか過ぎず、最悪でもそれの一部分が損失になるだけであるので、収益率の低下は小さい。殆どの環境では、この収益率の低下は、賭け限度を低下させるか、可変プールが増加するにつれて賭け率計算器の経営者が供給する金額を減少させるか、及び／または賭け率計算器の経営者によって投資される金額がプール内にある時に手数料率を増加させる（及び、本発明の一形状では、彼等から供給されるプールが減少するにつれて手数料率を線形に低下させる）のような多くの手段によって更に低下させたり、排除したり、または特別利益に変えることさえもできる。
【００５８】
独立設定賭け率システム（何れの段階も実際の可変プールを有せず、代わりに完全に理論的なプールを有している）を提供する一つの好ましい方法は、前述したようにして各競争結果に金額を割当てることによってマーケットを設定し、そのマーケット内の不適当な箇所を保証するように手数料率を十分に増加させることである。理論的プールのサイズと限度のサイズの調整とを組合わせることによって、手数料率は特定の収益率を実質的に保証する十分なレベルに設定することができる。
【００５９】
一つの好ましい形状では「制限された賭け」が使用される。これらの賭けは、不正行為、または他の賭け率操作を実効的に防ぐように制限される。例を挙げれば、
ａ）賭け率計算器の経営者の裁量によってのみ取消しができる賭け。賭け率計算器の経営者が取消しできる条件の例は、１）賭け率操作が試みられていないことに彼が満足していること、２）その賭けが小さいこと、３）現行賭け率が、その賭けが行われた時の賭け率と同じか、またはそれより低いこと、４）その賭けが、それを取消すことのマイナス効果を偶発危険準備金によってカバーされるものであることを含む。
ｂ）賭けが、賭け率計算器の経営者によって投資された理論的賭けであるので、賭ける人によって悪用することができない賭け。
ｃ）一旦賭け率計算器の経営者が受入れた後は、決して取消しまたは変更することができない賭け。
ｄ）賭ける人が、彼が考える最低の賭け率を指定したような賭け。この賭けは受入れられ、その後に取消すことはできない。
ｅ）完全な個人的な詳細及び／または機密保護保証金を必要とするような、悪用に対する保護を設定する賦課条件を有する信用取引による賭け。
ｆ）「確認される」賭け。これは好ましいオプションである。
【００６０】
一形状では、賭けのプールを操作するプロセスは、各賭けに関連する個々の金額として賭けのプールを分析することを含む。しかしながら好ましい形状では、賭けのプールを操作するプロセスは、若干の、または全ての個々の金額を１またはそれ以上の連続（ランニング）合計内へ加算して、より高速な処理を可能にすることを含む。後者の方法は、好ましい実施例に使用されている。
【００６１】
一つの好ましい形状では、賭けのプールを操作するプロセスは、賭け金の全てを分析することを含む。しかしながら、本発明の別の形状では、賭けのプールを操作するプロセスは、賭け金の一部分（例えば各個々の賭けの一部分または設定賭け率による賭けを開く前の可変プールの一部分）を分析することを含む。
【００６２】
設定賭け率を決定できる多くの方法が存在する。これらの方法は、それが好ましいオプションではないにしても、相互に決定することさえもできる。
【００６３】
一つの好ましい形状では、０、１、またはそれ以上の考え得る競争結果に対する１または複数の設定賭け率を決定する段階は、各競争結果のための段階に従って賭けのプールを操作することによって達成され、これらの段階は、ａ）賭けのプールを、配当を支払わなければならない結果の数に分割し、ｂ）手数料を斟酌して減額し、ｃ）その競争結果に対する設定賭け率による賭けに対して支払うために保留する金額を斟酌して減額することを含む。
【００６４】
計算中に、段階ｃ）及び／またはｄ）において設定賭け率で勝った賭けに対する手加減がなされる。一つの好ましい形状では、この手加減は重複しない。
【００６５】
現行設定賭け率による賭けを設定する設定賭け率を決定するに当たって、及び可変賭け率を決定するに当たって、現行設定賭け率による賭けを準備することができ、また代替として可変賭け率を決定するだけに対して現行設定賭け率による賭けを設定することができる。
【００６６】
以下の例は、設定賭け率を計算することができる幾つかの方法に関してある程度の詳細を説明するためのものである。
【００６７】
一つの好ましい形状では、その競争結果に対する設定賭け率による賭けに対して支払うために保留する金額は、上記金額の全てと、可変賭け率による賭けの全てを含む、その競争結果に対する賭け金である。
【００６８】
一つの好ましい形状では、その競争結果に対する設定賭け率による賭けに対して支払うために保留する金額は上記金額の一部分であり、その競争結果に対する賭け金は対応する設定賭け率による賭けの残りと、可変賭け率による賭けの全てを含む。
【００６９】
一つの好ましい形状では、その競争結果に対する設定賭け率による賭けに対して支払うために保留する金額には上記金額は含まれず、その競争結果に対する賭け金は設定賭け率による賭けの全てと、可変賭け率による賭けの全てを含む。
【００７０】
別の好ましい形状では、その競争結果に対する設定賭け率による賭けに対して支払うために保留する金額は、現行設定賭け率による賭け以前の上記金額の全てであり、その競争結果に対する賭け金は、現行設定賭け率による賭けの全てと、可変賭け率による賭けの全てを含む。
【００７１】
一つの好ましい形状においては、方程式及び／またはパラメタは、各競争結果毎の賭け率（その競争結果に対する賭け金を表している）を発生するものに制限される。
【００７２】
一つの好ましい形状においては、全ての考え得る競争結果（例えば、１着及び入着に賭ける場合であることができる）のための賭け率は、定期的に決定され、表示される。
【００７３】
別の好ましい形状（例えば、３連勝単式、及び４勝式の場合であってよい）では、全ての考え得る競争結果を表すことが実際的に困難であること、またはそのようにする必要性がないことから、かなり少ない数の競争結果に関しては（例えば、賭ける人によって要求された場合のような）賭け率は共通に決定され、表示される。別の好ましい形状では、特に可変賭け率による賭けの場合に、方法の特定の段階ではどの競争結果に対しても賭け率が決定されず、表示されない場合さえもあり得る。例えば、賭け率の安定性を強調するために、何れかの競争結果に対する累積した賭け金が賭け限度の所定の割合を超えた場合に限って、賭け率を決定し、表示することができる。
【００７４】
上述した表示とは、ディスク、テープまたは他の適当な型のメモリ内に格納された信号のような、プロセッサ内で、及び／またはプロセッサによって使用するのに適する型のものである。
【００７５】
一つの好ましい形状においては、表示は本質的に視覚的である型をも含む。
【００７６】
他の形状では、表示はオーディオ、触覚的、他の適当な型、またはそれらの組合わせのような型を含む。
【００７７】
「制限」の狙いは、賭け率計算器の経営者の直接的な損失、並びに好ましくは間接的な損失を防ぐことである。この狙いを達成する機構が設けられていない場合には、任意の賭けに支払われる金額が使用可能な金額を超え、それによって賭け率計算器の経営者に直接的な損失がもたらされる恐れがある。更に、賭け率を過大に調整することができるシステムに対して、賭ける人が否定的な応答をすることによって間接的な損失ももたらされる。
【００７８】
上述した狙いに合致するどのような方法も受入れ可能である。賭けを通して固定に維持される金額を指定するような簡単な機構（これは好ましいオプションではないが）でさえも十分である。
【００７９】
一つの好ましい形状では、何れか１つの設定賭け率による賭けを斟酌して賭け率を調整する前に、その賭けに割当てられるプールのある適切な部分以上の限度は許されない。
【００８０】
一つの好ましい形状においては、対応する各設定賭け率毎に「賭け限度」が計算され、その表示がその賭け率の表示と共に生成される。
【００８１】
一つの好ましい形状では、賭けのプールの一部分が決定され、更にその一部が限度（設定賭け率による賭けに支払われる最大金額）として指定され、賭け限度は設定賭け率による賭けに支払わなければならない賭け率を斟酌することによって、この金額から決定される。
【００８２】
一つの好ましい形状では、上記一部分は、配当を支払わなければならない結果の数に分割した後の総可変プールであり、そのある割合（Ｌ）が設定賭け率による賭けに支払うように割当てられる。賭け限度は、設定賭け率による賭けに支払わなければならない配当率を斟酌することによって、この金額から決定される。
【００８３】
好ましくは、これは次の式の何れかを使用して達成する。
【数４】
2010176713.tif 000006
【００８４】
別の好ましい形状では、上記一部分は、配当を支払わなければならない結果の数に分割した後の、そして手数料及びその競争結果に対する設定賭け率による賭けに支払うために保留する金額を減額した後の、賭けのプール（正味プール）である。その割合（Ｌ）は設定賭け率による賭けに支払われる最大金額として割当てられ、賭け限度は設定賭け率による賭けに支払わなければならない配当率を斟酌することによってその割合から決定される。
【００８５】
好ましい実施例では、これは以下の式を使用して達成される。
【数５】
2010176713.tif 000007
【００８６】
これは、ＳＤ（Ｙ）の定義を斟酌すると次のように簡略化される。
賭け限度＝Ｌ×ＢＶ（Ｙ）
明らかに、これは将に可変プール上の、所与の競争結果に対する賭け金のある割合である。
【００８７】
もし本発明の方法に従えば、優先順位を持つ約束事（例えば、手数料、及びその競争結果に対する先行設定賭け率による賭けに対して支払うために保留する金額）が損なわれる程設定賭け率による賭けが大きくなることは阻止される。
【００８８】
一つの好ましい形状では、設定賭け率による賭けに対して支払うために保留する金額を、ａ）配当を支払わなければならない結果の数に分割し、ｂ）手数料を斟酌して減額し、ｃ）その競争結果に対する先行設定賭け率による賭けに対して支払うために保留する金額を斟酌して減額した後に、設定賭け率による賭けに対して支払うために保留する金額が、賭けのプールを超えないようにするが、それは、１）その競争結果に関するある限度がi）配当を支払わなければならない結果の数に分割し、ii）手数料を斟酌して減額し、iii）その競争結果に対する先行設定賭け率による賭けに対して支払うために保留する金額を斟酌して減額した後に、賭けのプールを超えないようにし、２）その競争結果に関する賭け限度を、その競争結果に関する設定賭け率を斟酌することによって上記限度から決定し、３）設定賭け率の金額が賭け限度を超えないようにすることによって達成する。
【００８９】
一つの好ましい形状においては、たとえ現行設定賭け率による賭けが可変賭け率を決定するに当たっては斟酌されているとしても、現行設定賭け率による賭けについて設定される設定賭け率及び賭け限度は、現行設定賭け率による賭けを計算に斟酌することなく決定される。
【００９０】
別の好ましい形状では、現行設定賭け率による賭けを計算内に斟酌して現行設定賭け率による賭けについて設定される設定賭け率及び賭け限度、並びに可変賭け率が決定される。実際にはこれは、賭け限度が、設定賭け率による賭けのサイズを制限しないことを意味している。何故ならば、賭け率は、賭けの効果によって下方に調整され、限度と同一の狙いを達成するのを援助するからである。一つの好ましい形状では、計算に現行設定賭け率による賭けを斟酌するプロセスは、現在の賭けのための設定賭け率を計算するのに使用される変数の中にその賭けを含ませることを意味する。しかし、別の好ましい形状では、その賭けを斟酌するプロセスとは、もし最後の再計算以降のその競争結果に対する累積した賭けの効果が所定量だけ賭け率を変化させれば、その賭けが上記変数内のみに含まれることを意味する。
【００９１】
得られた設定賭け率が賭ける人に受入れられるようにするために使用できる一つの方法は、彼のために彼の賭けの他の詳細と共に、彼が考える最低の賭け率を指定することである。もしこれを彼自身が直接（例えば、タッチスクリーン、キーボードを使用することにより、または彼によってマークされたカードをカード読み取り装置と共に使用することによって）行えば、それは何等かの間違いの責任が彼次第ということになる。賭ける人が賭けを調べることができるようにするために、プロセッサへ託送する前にそれに関連する情報を画面上に表示することができる。この方法はシステムの完全性を保証はするが、賭ける人にとっては扱い憎いと考えられ、満足度は低い。
【００９２】
賭けの「確認」は、短時間の間に多くの業務（賭け率を設定する業務を含む）を処理しなければならないシステムがもたらす問題を解消し、しかも正しくないとして、または賭け率が受入れられないとして、賭けを拒絶する機会を賭ける人に与える好ましい方法である。
【００９３】
この方式に伴う一つの問題は、設定賭け率による賭けの要求と、その賭けの確認との間に遅れを生ずることである。従って、他の設定賭け率及び可変賭け率をその間に要求及び／または処理することができる。従って、一時に、要求はされたが確認はされていない複数の設定賭け率が存在し得ることになる。
【００９４】
このような環境において、もし１または複数の賭けが大きいか、または１つの競争結果に集まれば（そして、これはよくあることである）、その競争結果に対して設定される賭け率は、ある設定賭け率による賭けに対する各「要求」の後に下方に調整しない限り暴騰することになる。しかしながら、もしこのような要求を反映するように他の競争結果の賭け率を上方に調整すれば、これら他の競争結果に割当てられるどの賭け率も（もしその賭けが確認されないならば）高騰し過ぎるようになる。この問題に対処する安全方法を使用しない限り、賭け率の不正操作の可能性はかなりなものになる。好ましい実施例では、この問題は、設定賭け率によって賭けが要求された競争結果の賭け率を下方へ調整し、その賭けが確認されるまで（その賭けの結果としての）他の競争結果に対する賭け率を上方へ調整しないことによって解消している。従って、設定賭け率による賭けを迅速に確認する程、良好である。
【００９５】
しかしながら、この解決法はそれ自体問題を抱えている。賭けの流れが増加する時点に（これは、特にイベントの直前には、よくあることである）、全てではないにしても、少なくとも若干の賭け率が上述したプロセスによって大幅に抑制されてしまう。これは、可変賭け率によって賭ける人にとっては良い賭け率をもたらすかも知れないが（何故ならば、これらの低い賭け率においては設定賭け率が低いことが約束されているから）、それにも拘わらず、賭ける人がマイナスの反応を示すであろうから、設定賭け率を抑圧することは望ましいことではないものと考えられる。
【００９６】
この効果に起因する賭け率の過大な抑圧は、補償機構によって解消することができる。一つの好ましい方法は、これらの時点における賭け率を調整する「賭け率安定化技術」である。一つの好ましい形状では、賭け率の調整の程度は、最も新しく取引きされた設定配当（現在の賭けを含ませることによってもたらされた相場の前の）の逆数の和の合計に基づいている。賭け率の抑圧は一般には低いものであるから、通常は補償機構を使用することは必要はないものと考えられる。
【００９７】
もし（考えているように）本発明によって設定賭け率を設けたことが、レースの直前のようなピーク時間における要望を大幅に低下させるのであれば、補償機構は特に必要ではなくなる。
【００９８】
一つの好ましい形状では、全ての賭けの少なくとも２つの型の記録が生成される。即ち、メモリ内の電子的な記憶及びディスクまたはテープ上の磁気的な記憶の両方を含むことができるコンピュータ記録と、印刷された券、磁気記憶または他のある適当な手段の形状であることができる賭ける人のための記録である。
【００９９】
一つの好ましい形状では、ある賭けに関して記録された情報は、競争の型（例えば、競馬、繋駕競馬、犬、陸上競技、フットボール）、競争開催地、日付、イベント識別（例えば、番号）、競争結果識別（例えば、競争者の番号及び／または名前）、賭けの金額、賭け率、及び賭けの型（例えば、１着、着順）に関する情報から選択される。
【０１００】
可変賭け率は、可変賭け率による賭けに対する配分（収益率が柔軟であるように）がなされる前の優先的約束事の全てを斟酌すするプロセスによって決定されるので、システムが全手数料率を設定しないか、または設定することに失敗する機会は実質的に存在しないことは明白である。
【０１０１】
「差をつけた手数料率」（可変賭け率による賭けに対しては手数料率が低い）は、設定賭け率システムと共に好ましいオプションであり、これは以下のような多くの長所を有している。即ち、ａ）低い手数料率（従って、より良い賭け率）が可変賭け率プールへファンドを引き寄せる。
【０１０２】
このプールに十分なファンドを引き寄せることは（特に賭けの早期の段階において、設定賭け率により賭けることができる堅実なベースを作ることになるので）極めて望ましいことであり、可変賭け率プールが大きい程、賭け率に大きい影響を与えることなく受入れることができる設定賭け率による賭けも大きくなる。多分理想的な状態は、設定賭け率金額と可変賭け率金額との間に均等に分割されるプールを持つことであろう。
【０１０３】
それが望ましいと考えるならば、早めに賭ける人にボーナス配当、割引き、福引への無料入場、または料金別納の賭けのための証明書のようなさらなる優遇措置を設定し、また時間及び場所に関してのような設定賭け率による賭けに制限を賦課することもできる。これらの優遇措置及び／または制限を設けない場合には、可変プールがかなり減少し、そのためにシステムの応用がかなり制限されることが考えられる。
【０１０４】
設定賭け率によって賭ける人はより高い手数料率に当面するが、これはシステムにとって（設定賭け率の人気の故に）も、または設定賭け率により賭ける人にとって（彼等はそれが下方に調整される前の賭け率を享受できるので、また彼等が賭ける時点を、即ち賭け率がピークに達したと思った時点を彼等が選択する利点を持っているので）も大きい欠点であるとは考えられない。
【０１０５】
ｂ）ある配当を得るための機会と、最良賭け率とに対する手数料率を相殺することによって、現在屡々用いられているよりも公平なシステムが得られる。
【０１０６】
ｃ）可変プールに対する手数料率を低くすると、従って、最終賭け率がより射倖的になると、Ｓ．Ｐ．、ブックメーカのような不法経営者に重大な効果を与える。これらの人々は最終賭け率を、ブックメーカの最終賭け率、または最終賭け率計算器の賭け率（場合によっては割引または優遇措置を伴う）の何れかを設定する。表示され、大衆が利用できるようにされた最終賭け率に対する手数料率が低い程、これらの経営者は生き残ることがより難しくなり、一般大衆は彼等に賭けることを望まなくなる。
【０１０７】
ｄ）設定賭け率の一般的な有効性も賭ける人に刺激を与え、不法経営者等に賭ける人を減少させる。従って、公認されたプールへの移動が増加し、レーシング産業、及び一般的には共同体への収益が大きくなる。
【０１０８】
１または複数の手数料率及び賭け率を調整できる方法は数多く存在する。最も簡単で、最も効率的な方法は、次の初期方程式内のＡ及び／またはＢを変化させることである。
【数６】
2010176713.tif 000008
【０１０９】
可変賭け率方程式の場合にＡ＝１−ＶＣＲを使用し、設定賭け率方程式の場合にＡ＝１−ＳＣＲを使用し、両方の場合にＢ＝１−ＳＣＲを使用すると、次の２つの方程式が得られる。これらは、好ましい実施例に使用される（賭け確認が付加された場合を除く）基本的な形状である。
【数７】
2010176713.tif 000009
【０１１０】
また、好ましい実施例の説明は、勝者に賭ける場合であるからＮＲ＝１であるので、方程式は更に簡略化され、
【数８】
2010176713.tif 000010
【０１１１】
これらの方程式対の何れかを適用するとＶＣＲ及びＳＣＲの平均である収益率が求められる。
【０１１２】
初期方程式のより一般的なバージョンは、次のような形状を有している。
【数９】
2010176713.tif 000011
ここに、パラメタＡ−Ｆ（付録参照）は賭け率計算器の経営者によって調整可能であり、これらは賭けの間に変化させることはできる（そして他の値の関数であることさえできる）が、そのようにしないことが好ましい。
【０１１３】
この形状は、それが初期方程式に数学的に等価であることを示すことができても、そして同じように縮小することができても、時にはより便利であり得る。各パラメタは、実際に手数料率を変化させるようにセットすることができるので、この形状は滑らかな、そして有利な変化を賭け率に与えることに関して柔軟性の程度が大きい。例えば、賭けの始めにＤ（設定賭け率方程式の場合）を１よりも僅かに大きい値に設定することによって、設定賭け率を可変賭け率に比して抑圧することができる。しかしながら、賭けが進み、ＰＣ（Ｙ）が０から増加するにつれて、Ｄもその値が下がり、その理由から賭け率は増加する傾向がある。これは賭けの早い段階に、可変賭け率が有利になるように賭け率に大きい差をつけてその時点には可変プールへファンドを引き寄せ、従って設定賭け率によって賭けることができる安定なプールを供給する。
【０１１４】
理論では、各パラメタ毎にさまざまな値を選択することができ、パラメタのいろいろな組合わせを配列することができるが、実際にはシステムの制約から比較的僅かな組合わせだけが実現されるに過ぎない。
【０１１５】
詳しく述べれば、ある競争結果に対して支払われる合計金額が使用可能な合計金額を超えてはならないという不可避的な制約が存在する。この制約は、全手数料率（望む率がどのようであっても、そしてどのようなパラメタの組合わせによってそれに到達しようとも）の支払を可能にし、また使用できる組合わせを制限する。
【０１１６】
高度に望ましい制約は、その賭け率が、与えらえた競争結果に対する賭け金を表す（従って、その競争結果に対する要望を表す）ことである。この制約からの変化が大きい程、特定のプロセスの有用性が低くなる。
【０１１７】
システムは、設定賭け率と可変賭け率との間に差をつけ、維持することができる。この能力がなければ、全ての賭ける人に設定賭け率を設定する能力は大幅に制約されることになる。従って、この高度に望ましい制約は、パラメタの使用可能な組合わせを更に制限する。
【０１１８】
以下の方程式は、一般方程式を適用できる方法への若干の付加的な例である。ここでは（そして一般的に殆どの場合）、一般方程式の形状は設定賭け率方程式に最も有用であるが、これはそのように排他的ではない。
【数１０】
2010176713.tif 000012
【０１１９】
これらの方程式は好ましい実施例に使用された式に類似している。しかしながら、この形状では利益率はＶＣＲである。
【０１２０】
ＰＣ（Ｙ）またはＢＳ（Ｙ）、または両者を操作することによって、設定賭け率において勝った賭けの支払いを斟酌することができる。この斟酌の重複を回避する一つの方法は、一般方程式内でＥ＝１−Ｃをセットすることである。
【数１１】
2010176713.tif 000013
この型の方程式は、
【数１２】
2010176713.tif 000014
及び、
【数１３】
2010176713.tif 000015
を含む。
【０１２１】
手数料率は、方程式内のパラメタを操作することによる以外の方法で決定、または変更することもできる。他の方法の例は、以下のものを含む。
【０１２２】
ａ）１または複数の変数の部分集合を取る。例えば、ある値より上（例えば、２ドルより上）の賭けに対応する金額のみをＴＢＶ及び／またはＴＢＳ内に含ませることによって手数料率を増加させることができる。勿論、ＡまたはＢのようなパラメタを変えることによって手数料率は予測できるものよりも僅かに小さくなるが、それでもこの方法は有用である。
【０１２３】
ｂ）理論的賭けを使用する。設定賭け率及び／または可変賭け率による賭けを使用し、例えば、それらをＢＶ（Ｙ）及び／またはＢＳ（Ｙ）及び／またはＰＣ（Ｙ）内には含ませるが、ＴＢＶ及び／またはＴＢＳ内には（部分的にも、または全部を）含ませないことができる。別の方法は、理論的賭けを実際の賭けの場合と同じように計算内に含ませるが、賭け率が計算される競争結果に関してのみ含ませるのである。もしこれらの理論的賭けが（全ての競争結果に対して一定の数字ではなく）実際に賭けられた金額の関数であれば、賭け率はこれらの競争結果に対して実際に賭けられた金額を表し続け、これは好ましい方法である。これらの多くの方法ではＡ及び／またはＢを変化させても同じ結果になるが、他の方法では僅かに異なる結果が出る。
【０１２４】
一つの好ましい形状では、本方法は、変数またはパラメタが変化した時に、少なくとも段階ｂ）及びｃ）を繰り返すことをも含む。
【０１２５】
ある競争結果についての計算を遂行した後に、これらの変数の最新値を反映するように視覚的な、または他の表示を更新することができる。しかしながら、若干の値は迅速に変化する性質があるから、それらを定期的に更新する（好ましい実施例において行われるように）方がより適切である。一つの例は、５−１０秒間隔で、及び／または何れかの競争結果に対する累積賭け金（可変賭け率及び設定賭け率による賭け金の組合わせ）が賭け限度の所定の割合を超えてから更新することである。
【０１２６】
全ての賭けを再計算する代わりに、ある競争結果に対する累積的な賭け（可変賭け率及び／または設定賭け率での）が、規定された金額（例えば、賭け限度の所定の割合）を超えない限り、設定賭け率による賭けに現行賭け率を割当て続け、規定された金額を超えた時に限って再計算して、表示される情報を変化させることも可能である。
【０１２７】
計算を遂行するに当たって、複数のプロセッサを使用するとか、適切な計算を同時に遂行するとか、あるしきい値に到達した時に限って賭け率を再計算するとか、適切な場合には浮動小数点演算を避けるとか、プロセッサ出力を緩衝するとかのような速度強調技術を使用することができる。
【０１２８】
若干の状態では、もし設定賭け率で、連続して素早く一連の大きい賭けが行われると、その賭け率が急激に低下（即ち、「プランジ(plunge)」）することになり、一般に、賭けた人達を完全に不満にさせる。
【０１２９】
この潜在的な問題を減少させる一つの方法は、賭け限度を低下させることである。別の方法は、プールをできる限り大きくさせることであり、このようにする一つの方法は、種々の場所からのプールを加え合わせ、最も大きい賭けでも重大な問題をもたらさないようにすることである。
【０１３０】
しかし若干の場合には、これらの解決法では十分ではないかも知れない（例えば、プールが小さい方が刺激的である）。従って、一つの好ましい形状では、賭け限度を調整する「プランジ変調係数」を導入することを提唱する。
【０１３１】
この変更の目的は、大きい賭けがなされた場合に、ある合理的な時間を設けてその間に平均サイズの賭けを行う人が、賭け率を極めて大きく低下させないような賭けを行うことができるようにすることである。このような狙いに矛盾しないどのような方法でも十分である。このような方法には、何等かの大きい賭けの後のある期間にわたって元の賭け限度の指定された割合に賭け限度を設定すること、及び任意の端末において同一人が一つの競争結果に対して連続的に賭けることを阻止することが含まれる。
【０１３２】
この目的を達成するための一つの好ましい方法は、ある競争結果に対する賭け限度を、大きい賭けのサイズに関係付けてあるだけではなく、爾後にその競争結果に対してなされた賭けの数及び相対サイズにも関係付けた率に減少させることである。
【０１３３】
この変形の一つの形状では、先ず賭け限度に対する複数の競争結果に対して最新の設定賭け率で賭けられた金額の重み付けした連続（ランニング）平均（ＲＡ）を、以下のようにして決定する。
ＲＡ＝ＲＴ／Ｗ
ここに、
ＲＴ＝ＷＦ×ＲＴ＋Ｂ、
Ｗ＝ＷＦ×Ｗ＋ＬＢ、
ＷＦ＝0.98、
Ｂ＝現在の賭け金
ＬＢ＝現在の賭けに対応する賭け限度である。
【０１３４】
初期設定は、Ｂ及びＬＢの値が平均履歴値であるものとして、これらの値が向かう値であり、ＲＴはＢ／（１−ＷＦ）に向かい、ＷはＬＢ／（１−ＷＦ）に向かう。ＲＡは、賭け限度の平均的割合の、システム上でなされた賭けを表す最新の賭けに向かって重み付けされたスナップショットを与える。
【０１３５】
各競争結果に対する設定賭け率による賭けの重み付けされた連続平均も、同じようにして維持される。
ＲＡ（Ｘ）＝ＲＴ（Ｘ）／Ｗ（Ｘ）
ここに、
ＲＴ（Ｘ）＝ＷＦＸ×ＲＴ（Ｘ）＋Ｂ（Ｘ）×｛Ｂ（Ｘ）／ＡＢ（Ｘ）｝、
ＡＢ（Ｘ）＝ＲＡ×ＢＬ（Ｘ）＝他の競争結果に対する賭けの、賭け限度の平均的割合に基づくこの競争結果の予測される平均的賭け、
Ｗ（Ｘ）＝ＷＦＸ×Ｗ（Ｘ）＋１、
Ｂ（Ｘ）＝現在の掛け金
ＢＬ（Ｘ）＝現在の掛けに対応する賭け限度、
ＭＢＬ（Ｘ）＝ＢＬ（Ｘ）／｛ＲＡ（Ｘ）／ＡＢ（Ｘ）｝＝変更された賭け限度、
である。
【０１３６】
ＭＢＬ（Ｘ）は、ＭＢＬ（Ｘ）がＢＬ（Ｘ）より大きい場合を除いてＢＬ（Ｘ）に置換される。Ｂ（Ｘ）が、賭け限度（ＡＢ（Ｘ））の平均的割合に対応する値を有しているものとして説明を進めると、初期値はこれらの変数が向かう値にセットされる。即ち、ＲＴ（Ｘ）はＡＢ（Ｘ）／（１−ＷＦＸ）に、そしてＷ（Ｘ）は１／（１−ＷＦＸ）にセットされる。賭けの確認が使用され、そしてある賭けの確認に失敗した場合には、先に記憶した値を使用するか、また失効してしまった賭けを無視することによって、前の賭けから数字を再計算する。
【０１３７】
また、本発明の一面によれば、設定賭け率計算器によって賭ける「装置」も開示される。本装置は、賭けのプールを操作することによって設定賭け率及び／または可変賭け率を設定し、ある競争結果に対して支払われる合計金額が使用できる合計金額を超えないようにする。本装置は、ａ）賭けのプールを形成する各賭けに関するデータを受ける入力手段と、ｂ）０、１、またはそれ以上の考え得る競争結果に対する１または複数の設定賭け率及び／または可変賭け率を、賭けのプールを操作することによって決定する処理手段と、ｃ）命令、上記データ、及びこれらのデータから導出された情報を格納するためのメモリ手段と、ｄ）そのように計算された各競争結果に関する情報を表示する表示手段と、ｅ）設定賭け率による賭けに対して割当てられた設定賭け率を用いて賭け率計算器による賭けの記録を作成する記録手段を備え、それによって設定賭け率計算器を構成している。
【０１３８】
一つの好ましい形状では、処理手段は、設定賭け率限度及び／または各対応する設定賭け率毎の賭け限度を計算する手段を含み、上記表示手段はそれを表示する手段を含む。
【０１３９】
一つの好ましい形状では、表示される各競争結果に関する情報は、日付、競争の型、賭けの型、賭け金、設定賭け率及び可変賭け率、限度、賭け限度、可変賭け率プールのサイズ、設定賭け率プールのサイズ、競争開催地の識別情報、１または複数のイベント、及び１または複数の競争結果（及び／または１または複数の競争者）から選択される。
表示される情報の最終形状の決定に当たって、どのような適当な方法（例えば、切捨てまたは丸め）を使用してもよい。
【０１４０】
設定賭け率による賭けの処理が、可変賭け率による賭けの処理とは異なるような状態は数多く存在する。
【０１４１】
〔遅い出場取消し〕
可変賭け率による賭けだけが存在する場合に、賭けが開始されてから競争者が出場を取消した場合、その競争者を含む競争結果に対する賭けがプールから除かれて新たにファンドの作り直しすることが多い。そこで、変更されたプール金額で賭け率が再計算される。
【０１４２】
しかしながら、設定賭け率による賭けの場合、既に他の競争結果に割当てられている賭け率は、出場取消しした競争者がその時点にフィールドにいなかった場合の賭け率よりも大きくなる。始めの設定賭け率をファンドとするパーティ（賭けシステムの経営者、またはここで説明しているように、可変賭け率で賭けた人達の何れか）はその賭けを補償する必要があり、これは出場を取消した競争者を含む競争結果に対して再ファンド作りしなければならない。
【０１４３】
この問題を処理する一つの方法は出場取消し前になされた勝った賭けから控除することであり、控除のレベルを決定する一つの方法は出場を取消した競争者の最後の可変賭け率に基づくことであり、控除は配当の逆数に基づく（例えば、１着当て式の場合、4.0 ドルの配当ならば 25 セントである）。この方法も本発明の一つの形状において使用されている。
【０１４４】
しかしながら、コンピュータ化された設定賭け率を用いれば、より正確な方法が可能である。以下に説明する方法は、好ましい実施例において使用される方法である。与えられた競争結果への（賭けに勝った場合に限って実際に控除されるべき）設定配当からの控除率は次式から計算される。
【数１４】
2010176713.tif 000016
【０１４５】
ここに、Ｘは出場を取り消した競争者の数であり、全ての変数はその競争者を含む賭けが除去される直前に存在した値を有し、そしてＢＳ（Ｘ）及びＢＶ（Ｘ）は出場を取り消した競争者を含む賭けを形成している。
【０１４６】
与えられた競争結果に対する現在の賭け率を再計算するために、出場を取り消した競争者を含む賭けが除去される前に、その競争結果に対してなされた全ての設定賭け率による賭けにこの控除率を適用する。出場を取り消した競争者を含む賭けを除去し、配当を支払わなければならない結果の数にプールを分割し、そして手数料を減額した後に、控除可能であるとして計算された合計金額を、その競争結果に対する分配のために使用可能なプールへ戻して加える。それから賭け率を再計算する。
【０１４７】
〔同着〕
ある結果に対して、通常支払う必要がある配当よりも多くなる同着の場合を考慮しておかなければならない。これは例えば１着配当の場合に、２人の競争者が１着に同着であるとして、少なくとも１人の特別な競争者が着順（配当を支払うべきか否かの決め手となる）に関して主張すると発生する。
【０１４８】
この状況では、各同着者を含む設定配当は、同着者の数によって決定される係数によって分割される。１着の同着者が２人である上例では、各配当は２で除算される。
【０１４９】
〔最低配当〕
最低配当を支払うことを要求する支配権では、これは設定賭け率についても指定することができる。これは、他の指定された設定賭け率と同様に可変賭け率に衝撃を与え、また通常の可変賭け率状況における最低配当と同じようにして他の可変賭け率及び収益率に衝撃を与える。
【図面の簡単な説明】
【０１５０】
【図１Ａ】本発明の処理方法を実施可能にするシステム構成のブロック線図である。
【図１Ｂ】本発明の処理方法を実施可能にする代替システム構成のブロック線図である。
【図２Ａ】本発明によるアルゴリズムを示す流れ図である。
【図２Ｂ】図２Ａに示すアルゴリズムの初期化手順をより詳細に示す流れ図である。
【図２Ｃ】各賭けが図２Ａに示すアルゴリズムによって処理される際に開始される手順をより詳細に示す流れ図である。
【発明を実施するための形態】
【０１５１】
本発明及びその特色及び長所の理解を更に援助するために、以下に添付図面を参照して本発明の「好ましい実施例」を説明する。
【０１５２】
〔序文〕
以下に説明する好ましい実施例では、可変賭け率による賭けと、設定賭け率による賭けとに対して異なる手数料率（例えば、それぞれ 10 ％及び 20 ％）を採用している。
【０１５３】
最良モードを示すために選択した例は、あるレースにおいてなされた１着当ての賭けである。従って、使用される用語（例えば、ある競争の勝者に対する賭け金）はこのような状況を考えている。他の賭けの型の説明では、その賭けを『特定の「競争結果」に対して』と呼ぶ。
【０１５４】
〔本発明の動作〕
図１Ａは、本発明の総合動作を示すブロック線図である。全ての処理を中央制御するプロセッサ１０が入力／出力（Ｉ／Ｏ）バス１４に接続されている。プロセッサは入力回路２０（入力Ｂ）からライン１８を通して到来するデータを、表示装置１６へ導かれるデータを含む他の全ての必要データに変換する。
【０１５５】
メモリ１１もＩ／Ｏバス１４に接続されており、データ及びアドレスを一時的に格納し、プロセッサ１０を動作させるのに使用されるソフトウェア命令も格納している。
【０１５６】
種々の周辺機器もＩ／Ｏバス１４に接続されている。例えば、ディスク１２及びテープ１３のような記憶デバイスを接続することができる。
【０１５７】
典型的には、多くの入力源、及び多くの表示装置が存在する。入力源は、中央プロセッサへ直接アクセスを有する個々の端末であることができる。
【０１５８】
代替配列では、入力源は図１Ｂに示すように従属プロセッサ２４であることができる。典型的には、これらの従属プロセッサは異なる地理的場所（例えば、異なる市または州）に配置されており、多くの端末２８からのデータをまとめる。
【０１５９】
また各従属プロセッサには（Ｉ／Ｏバス２２を介して）表示装置２６も接続されており、これらは従属プロセッサによって制御される。
【０１６０】
各端末２８は、それ自体の端末表示装置３０を有している。これは、もし賭けた人が設定賭け率による賭けを確認することを依頼すれば、賭けた人の側で迅速に判断をするのを容易にする。この表示装置は、その判断を行うための必要情報の全て（特に要求された設定賭け率による賭けに割当てられた賭け率）を表示することを考えている。
【０１６１】
初期化プロセスは、賭け率計算器で受けた賭けの数が、設定賭け率で賭けることができる安定したプールを作るのに十分になると、段階５０から開始される。一般にこれは、レースの約３０−４５分前に発生する。プロセスは線５１を経て段階５２へ進む。段階５２に関して、以下に図２Ｂを参照して説明する。このプロセスの第１の部分を段階５３に示す。競争者を増分的に計数するカウンタＸは１にセットされ、賭けカウンタＺは０にセットされる。Ｎは競争者の数に等しくセットされ、ＴＢＶは可変プール内の賭けられた金額に等しくセットされる。この段階では、賭け率計算器の設定賭け率部分には賭けがなされていないので、確認済設定賭け率プールＴＢＳの金額は０にセットされる。
【０１６２】
手数料率には、理論的には０から１までの任意の小数値を与えることはできるが、最適値は可変プールに対しては 10 ％であり、設定プールに対しては 20 ％であるもと考えている。従って、ＶＣＲは 0.10 に等しくセットされ、ＳＣＲは 0.20 に等しくセットされる。設定賭け率で賭けた人（もし賭けに勝てば）に払い戻すように割当てできるる分配可能な正味のプールの最大割合のための最適値は約 12.5 ％であると考えており、従ってＬは 0.125 にセットされる。
【０１６３】
段階５４において、今度は、あるループによって各競争者毎に変数の値がセットされる。本発明のこの説明では、各競争者毎のデータは変数（一般に、段階５４におけるように一次元アレイの形状）で格納されているものとして記述する。
【０１６４】
しかしながら、データのこの格納の手法は、そのようにする方法の１つの可能性を示したに過ぎない。
【０１６５】
従って、先ずリスト上の第１の競争者（Ｘ＝１）のための適切な値がセットされる。ＢＶ（Ｘ）（ここでは、ＢＶ（１））は、賭け率計算器上で第１の競争者に対する賭け金に等しくされる。ある競争者に対する賭け金が０であるような見込みのないイベントにおける一つの好ましい方策は、不確定な値が計算に導入されるのを避けるように、賭け率計算器の経営者がその競争者に名目上の金額を投資することであろう。または、そのような状況では計算をサイドステップさせ、その競争者に賭け率及び賭け限度を割当てるというような、他の機構を使用することができる。この時点までは賭け率計算器の設定賭け率部分は、どの競争者についても賭け金は０であるから、ＢＮ（１）は０にセットされる。同様に、この時点まではどの競争者に対しても、賭け率計算器の設定賭け率部分が支払うために保留する金額も０であるから、ＰＣ（１）は０にセットされる。同様に、ＰＮ（１）＝０にセットされる。
【０１６６】
また段階５４において、可変配当ＶＤ（１）及び設定配当ＳＤ（１）が以下の方程式に従って計算される。
【数１５】
2010176713.tif 000017
即ち、
【数１６】
2010176713.tif 000018
即ち、
【数１７】
2010176713.tif 000019
【０１６７】
更に、第１の競争者に対する設定賭け率による賭け限度が次式に従って計算される。
ＢＬ（Ｘ）＝Ｌ×ＢＶ（Ｘ）＝0.125×ＢＶ（Ｘ）＝ＢＬ（１）
【０１６８】
このようにして、もし限度金額の賭けが成功すれば、分配に使用可能な正味プールの最大 12.5 ％が、この設定賭け率において賭けた人に払い戻される。この金額は、この競争者に可変賭け率によって賭けた人に対して払い戻すのには最早使用できないので、彼等が受ける賭け率は引下げられる（以下に説明する）。
【０１６９】
これで第１の競争者（Ｘ＝１）のための全ての関連変数が初期化されたことになるので、段階５６において、次の競争者のための値をセットできるようにカウンタＸが増数（インクリメント）される。
【０１７０】
次の判断段階５７では、Ｘが競争者の数Ｎより大きいか否かが調べられる。もし、この場合のように、大きくなければ、プロセスは線５８を介して段階５４へ戻され、次の競争者についてプロセスが繰り返される。しかしながら、もしＸがＮよりも大きければ、これは全ての競争者のための変数が計算されたのであり、プロセスは線５９を介して段階６０へ移動し、段階６０においては段階６２から線６１を介して入力が倒着するまでプロセスは休止する。
【０１７１】
段階６０に関して、図２Ｃを参照して説明する。初期化の直後に受けた第１の入力は新しい賭けであろう。そこで、判断段階６３の答は YES になり、処理は段階６５へ進められる。賭けが可変賭け率による賭けであろうと、または設定賭け率による賭であろうと、これは同じである。段階６５においては、Ｚが増数され、ＴがＺに等しくセットされる。つまり、第１の賭けに対してＺは１に等しくされる。ＢＺ（１）は、たとえこの段階では要求されているだけであっても（設定賭け率による賭けであるという事実によって）賭け金に等しくセットされる。
【０１７２】
Ｙ及びＮＣＺ（Ｚ）は共に、賭ける人によって選択された競争者の数に等しくセットされる。
【０１７３】
〔予備再計算〕
前述したように、設定賭け率による賭けと、その賭けの確認との間には必然的に遅れがあるので、ある時点においては、要求はされているが未だに確認されていない多くの設定賭け率による賭けが存在し得る。競争者Ｙに対するこれらの賭けの合計金額を記憶するのが変数ＢＮ（Ｙ）の機能であり、その競争者が勝った場合にそれらの賭けに支払うために保留する合計金額を記憶するのがＰＮ（Ｙ）の機能である。
【０１７４】
入力Ａから線６１を介して段階６０へ達する入力は、可変賭け率による賭け、ある設定賭け率で賭けられたある金額に対する要求、または賭けであると確認済の設定賭け率による賭けの形状の新しい賭けであり得る。または、それは先行設定賭け率による賭けの確認、拒絶、または間違いであり得る。もしそれが新しい賭けであれば、段階６７は、賭けがどの型であるかを判断する。
【０１７５】
「もしそれが可変賭け率による賭けであれば」、段階６８において賭け金を、この競争者に対する賭け率計算器の可変賭け率部分の賭け金ＢＶ（Ｙ）と、賭け率計算器の可変賭け率部分の合計賭け金とに加算する計算が遂行される。即ち、
ＢＶ（Ｙ）＝ＢＶ（Ｙ）＋ＢＺ（Ｚ）
ＴＢＶ＝ＴＢＶ＋ＢＺ（Ｚ）
【０１７６】
可変賭け率による賭けは、賭け率に関して確認する必要はないから、それらは直ちに委託されたプール内の金額に加算される（その賭けに対してどのような調査も行わずに委託されたプール内にその賭けを含ませるためにプロセッサに引き渡される）ことに注目されたい。
【０１７７】
これは確認プロセスによって達成される。賭けが入力される（賭けを要求された経営者によって、または直接的に賭ける人がタッチスクリーン、キーボード、またはカード読み取りデバイスのような手段によって）と、その賭けの詳細が端末表示装置３０上に現れる。このようにして（もし望むならば）確認前に多数の賭けを入力することができ、賭けた人は、例えばボタンを押すことによって画面上で賭けを確認することができる。何等かの誤りがあれば、経営者が、または賭けた人が直接タッチスクリーンまたはキーパッドによって修正できる。可変賭け率による賭けの確認には時間制限はない。
【０１７８】
賭けを確認することによって、賭け率の不正操作（例えば、単に若干のイベントが挙行されてしまった後に賭けの取消しを防ぐようになっている他のプロセスでは発生し得る）が阻止される。
【０１７９】
賭けた人が（特に、賭け率を操作するのに使用できる大きい賭けの）賭け金を支払わないという問題を回避するために、賭けが確認される前に支払いが要求される。支払いは、現金の形状で、または「スマート」カードのような他の手段によって、またはファンドを含む口座に直接アクセスして行うことができ、端末はファンドが使用できない如何なる賭けも確認を拒絶する。
【０１８０】
上述した計算の後に、プロセスは段階８６へ直接分岐する。「もしそれが設定賭け率による賭けであれば」、段階６９において、要求された賭けが賭け限度より大きいか否かが判断される。もし大きければ、プロセスは段階７０へ進められ、賭け金ＢＺ（Ｚ）は競争者Ｙのための賭け限度、即ちＢＬ（Ｙ）に等しくセットされ、プロセスは段階７１へ進む。しかしながら、もし要求された賭けが賭け限度よりも大きくなければ、プロセスは段階７１へ直接進められる。
【０１８１】
段階７１は、設定賭け率による賭けを要求した人が、その賭けを直ちに（即席判断で）受入れることを願うか否か、または確認手順を入力することによってそれを拒絶または確認する機会（賭け率及び賭け金が一回表示される）を得たいのか否かを試験する。何れにしても、賭けた人がその賭け金を支払わない問題を回避するために、可変賭け率による賭けと殆ど同じように、賭けが確認される前に、そして好ましくは彼等が要求する前においてでさえ、（軽薄な賭け、または操作を狙った賭けを思い止まらせるように）支払うことを要求する。
【０１８２】
もし賭けた人が確認手順を入力することを望まないならば、プロセスは段階７２へ進み、もしその賭けに勝った場合に支払うべき金額が次式に従って計算される。
ＰＺ（Ｚ）＝ＢＺ（Ｚ）×ＳＤ（Ｙ）
【０１８３】
プロセスは段階８４へ直接進められる。もし賭けた人が確認手順を入力することを望めば、プロセスは段階７３へ進んで、その賭け金は、未確認設定賭け率による賭けの合計金額、即ちＢＮ（Ｙ）に加算される。また、競争者Ｙが勝った場合に賭けＺに支払われる金額、即ちＢＺ（Ｚ）×ＳＤ（Ｙ）がＰＺ（Ｚ）内に記録され、ＰＮ（Ｙ）内のＹに関して未確認であるとする金額の合計に加算される。即ち、
ＢＮ（Ｙ）＝ＢＮ（Ｙ）＋ＢＺ（Ｚ）
ＰＺ（Ｚ）＝ＢＺ（Ｚ）×ＳＤ（Ｙ）
ＰＮ（Ｙ）＝ＰＮ（Ｙ）＋ＰＺ（Ｚ）
次いでプロセスは段階７４へ進み、以下の計算が遂行される。
【数１８】
2010176713.tif 000020
ＢＬ（Ｙ）＝ＬＸＢＶ（Ｙ）
【０１８４】
これらの方程式の説明は以下の通りである。前述したように、純粋な可変システムにおける１着当て式の配当（ＮＲ＝１の場合）のための基本式は、
【数１９】
2010176713.tif 000021
である。
【０１８５】
設定賭け率計算器の場合の計算はより複雑である。可変賭け率により賭けた人に支払うために使用可能であるとして計算された金額、即ち（１−ＶＣＲ）×ＴＢＶは、適切な手数料を控除した後に、賭け率計算器の設定賭け率部分上の合計賭け金（確認済み）分、及び賭け率計算器の設定賭け率部分上のこの競争者に対する賭け金（未確認）分、即ち（１−ＳＣＲ）×（ＴＢＳ＋ＢＮ（Ｙ））だけ増加される。しかしながら、可変賭け率により賭けた人達（及び爾後に設定賭け率によって限度まで賭けた人達）への配分に使用できるこの合計は、確認されていようと（ＰＣ（Ｙ））、未確認であろうと（ＰＮ（Ｙ））この競争者に設定賭け率により賭けた人達のために既に保留された金額だけ減額されている。
【０１８６】
設定賭け率の手数料率ＳＣＲをあたかも全ての賭け金に適用するかのように、及び計算に含まれているかのように使用することを除いて、設定配分ＳＤ（Ｙ）の計算にも同じ原理が採用される。
【０１８７】
次いで賭け限度ＢＬ（Ｙ）が、賭け率計算器の可変部分上のこの競争者に対する賭け金から計算される。
【０１８８】
この点で再計算される唯一の賭け率は、設定賭け率による賭けがなされた競争者に関する賭け率であることに注目されたい。
【０１８９】
賭け率（及び賭け限度）を計算するこの方法は、そのようにする一つの方法を示したに過ぎず、それが伝統的であるので好ましい方法として採用したまでである。伝統性の薄い採用可能な方法は、支払いに使用できる金額を、この競争者に対する賭け金（未確認）にだけではなく、他の全ての競争者に対する金額にも（即ち、それの連続合計の形状でのＹの全ての値のためのＢＮ（Ｙ）の値）加算することである。これにより賭け率は僅かに気前がよくなるが、もし他の１または複数の走者について重大且つ異常な量の賭けが未確認であれば（実際に起こり得る）、これらの賭け率は気前良過ぎることになる。
【０１９０】
段階７５における手順は、賭けを確認することを試み、プロセスは線７８を介して段階６０へ戻され、メッセージが適切な端末２８及びその表示装置３０へ送られる。この実施例では、設定賭け率で賭ける人へ提示される賭け率が、段階７４における再計算の直前に存在していて次式によって便宜的に評価される賭け率であることに注目されたい。
提示設定配当＝ＰＺ（Ｚ）／ＢＺ（Ｚ）
【０１９１】
提示される賭けの量は、ＢＺ（Ｚ）の現在の値によって与えられる。この点で、賭けＺに関する返答を待機しながら、新しい賭け、または（もしこれが、設定賭け率による賭けを初めて処理するのでなければ）先行の賭けの確認を十分に受け入れることができる。もし現在の賭けが指定された時間（好ましい実施例では、これは約５秒である）内に確認されなければ、その賭けは未確認として登録される。
【０１９２】
確認されたか否かは直ちに判断され、賭けＺはプロセスの始めへ戻され、段階６３（図２Ｃ）においてその賭けが新しい賭けであるか否かが判断される。新しい賭でなければ、プロセスは段階６４へ進められ、Ｚにはこの賭けに先に割当てられた数が与えられ、Ｙは賭けた人が選択した競争者番号、即ちＮＣＺ（Ｚ）に等しくされる。
【０１９３】
次いでプロセスは線７８を介して段階７５へ戻され、段階８０へ進む。この点で、この賭けは最早、暫定プール内に含まれる有効なものであるとして継続し得ない。これは、この賭けが確認済であろうと、未確認であろうと、そのようにされる。その後にもし確認されればこの賭けは恒久的な賭けになり、確認されなければこの賭けは間違いであったとされる。従って、この競争者に対する合計賭け金を一時的に記憶する変数ＢＮ（Ｙ）、及び支払うために保留された合計金額ＰＮ（Ｙ）は、この賭けの効果を排除するように調整しなければならない。段階８０においてはこれを達成するための計算が遂行される。
ＢＮ（Ｙ）＝ＢＮ（Ｙ）−ＢＺ（Ｚ）
ＰＮ（Ｙ）＝ＰＮ（Ｙ）−ＰＺ（Ｚ）
【０１９４】
次にプロセスは段階８２へ進み、その賭けが確認されたか否かを確認する。もし未確認であれば、プロセスは直接段階８５へ移動する。しかしながら、もしその賭けが確認済であればプロセスは段階８４へ進み、以下の計算によってそれは賭けの恒久プール内に含まれる。
ＴＢＳ＝ＴＢＳ＋ＢＺ（Ｚ）
ＰＣ（Ｙ）＝ＰＣ（Ｙ）＋ＰＺ（Ｚ）
【０１９５】
プロセスは段階８５へ進められ、Ｚは最後の新しい賭けの番号にリセット（Ｚ＝Ｔ）される。
【０１９６】
出力計算ループ８８へ進むための準備として、段階８６において変数Ｘは１に等しくセットされる。
【０１９７】
主再計算ループ（段階８８）自体において、可変配当ＶＤ（Ｘ）、設定配当ＳＤ（Ｘ）、及び設定賭け率による賭けの賭け限度ＢＬ（Ｘ）が各競争者毎に計算される。これらの計算に関する原理は、本質的には段階７４に関連して使用したものと同一である。即ち、段階８８において、以下の計算が遂行される。
【数２０】
2010176713.tif 000022
ＢＬ（Ｘ）＝Ｌ×ＢＶ（Ｘ）
【０１９８】
段階９０においてＸの値が増数される。従って、この段階の後のＸの値は２になる。
【０１９９】
次の段階９２は判断段階である。もしＸが競争者の数よりも大きくなければ、プロセスは線９３を通して段階８８へ戻され、次の競争者について計算が繰り返される。
【０２００】
このプロセスは、全ての競争者についての値が再計算されてしまうまで続行される。この時点になると、Ｘの値が競争者の数よりも大きくなり、プロセスは線９４を介して段階６０へ戻され、コンピュータは入力Ａ（段階６２）からの入力を待機する。
【０２０１】
以上の計算の後は、１６（図１Ａ）のような位置(及び／または２６（図１Ｂ)のような他の位置）において表示される情報は定期的に(例えば５−１０秒毎に)、及び／または、何れかの競争者に対する累積賭け金（可変賭け率及び設定賭け率の両方での）が賭け限度の所定の割合に到達した後に、更新される。
【０２０２】
以上に本発明を、あるイベントに勝った競争者に対する賭けの場合について、この特定の実施例を参照して説明したが、この説明が本発明をこの状況に限定するものではない。事実、本発明を数多くの他の賭けの形状に直接適用する応用が存在する。更に、当分野に精通していれば、以上に説明した実施例の種々の変更、並びに本発明の他の実施例が、以上の説明から明白であろう。
【０２０３】
2010176713.tif 000023
2010176713.tif 000024
【図１Ａ】
2010176713.tif 000027
【図１Ｂ】
2010176713.tif 000028
【図２Ａ】
2010176713.tif 000029
【図２Ｂ】
2010176713.tif 000030
【図２Ｃ】
2010176713.tif 000031
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
賭けに関するデータを受け入れる入力手段を有し、
ある結果についての固定賭け率を記憶する固定賭け率記憶手段を有し、前記入力手段によってデータが受け入れられた固定賭け率の賭けは、記憶された固定賭け率に関連する潜在的な支払い負担を有し、
前記固定賭け率記憶手段に格納されている、前記結果についての前記固定賭け率を更新する固定賭け率更新手段を有している、
変わり得る賭け率で賭けをする可変賭け率の賭けと、設定された賭け率で賭けをする固定賭け率の賭けとを行うための賭け装置であって、
少なくとも一つの可変賭け率の賭けに関連するデータを受けて作動し、データが入力手段により受信されている前記結果についての賭けに関連するデータの受信又はデータ処理の後に賭け装置内で生じる所定の状態に応答して指令を発生する応答手段を更に備えており、
前記賭けは前記の少なくとも一つの可変賭け率の賭けの後でなされ、そして前記の所定の状態は、データが入力手段により受信され、かつ、記憶された固定賭け率に関連する潜在的な支払い負担を有する前記結果についての固定賭け率の賭けについての全ての潜在的な支払い負担が、前記の結果に対する最大正味積み立て賭金を超える前に生じ、前記指令により賭け装置内でオペレーションが行われて賭け装置は前記結果に対して全ての支払い負担が前記の最大正味積み立て賭金を超えないように作動することを特徴とする、賭け装置。